(57)【特許請求の範囲】
【請求項１】
非晶質磁性合金薄帯を巻回し、かつ、少なくとも１ケ所を切断して突合せ等の接合部を備えた矩形状の巻鉄心と、前記巻鉄心の脚鉄部に嵌挿した巻線とを備えたアモルファス鉄心変圧器において、前記巻鉄心の脚鉄部の積層端面に接着剤を所定の間隔を保って複数箇所塗布して接着部を形成する工程と、前記接着部を形成した脚鉄部を上下一対の貼付部材にて被覆する工程と、前記一対の貼付部材の外側から金属鋼板をコ字形に折曲して形成した一対の整形枠体を、該整形枠体の一対の折曲片を脚鉄部の内，外周面に当接させ、かつ、前記整形枠体の橋絡部を脚鉄部の積層端面側に押動して該橋絡部の内側に貼着したクッション材を押圧した状態で挟着して、前記貼付部材を前記クッション材の弾性力により押圧して脚鉄部の積層端面に接着・保持させる工程と、前記貼付部材を介して脚鉄部に挟着した一対の整形枠体による前記貼付部材の挟持を解いた後巻鉄心をその接合部を有する継鉄部を開いてＵ字状に拡開する工程と、前記Ｕ字状に拡開した巻鉄心を巻線に挿入し、かつ、拡開した継鉄部を再接合する工程とを備えたことを特徴とするアモルファス鉄心変圧器の製造方法。
【発明の詳細な説明】
【０００１】
【産業上の利用分野】
本発明は、非晶質磁性合金薄帯からなる１ターンカット方式の巻鉄心を使用したアモルファス鉄心変圧器とその製造方法に関するもので、その目的とするところは、巻鉄心の脚鉄部の剛性強化を図ったアモルファス鉄心変圧器とその製造方法を提供することにある。
【０００２】
【従来の技術】
近年、例えば、配電用変圧器には、その鉄心材料として非晶質磁性合金薄帯（以下、アモルファス鉄心という）を使用した変圧器鉄心が種々開発され実用化されている。前記変圧器鉄心として用いるアモルファス鉄心は磁性合金の溶融体を超急冷して製造するもので、鉄損が非常に小さく優れた磁気特性を備えており、このアモルファス鉄心を用いて巻鉄心を製造する場合は、例えば、一対の継鉄部のうち、一方の継鉄部にバットジョイントやラップジョイント等の接合部を備えた所謂、１ターンカット方式の巻鉄心が今日多く製造されている。
【０００３】
前記１ターンカット方式の巻鉄心は、例えば、帯状のアモルファス鉄心を、１ターン毎にあらかじめ設定した長さ寸法で切断した単位鉄心を複数枚（２０〜３０枚）にまとめて単位鉄心素体を設け、この単位鉄心素体を更に複数層に積層して単位鉄心ブロック（以下、単に積層ブロックという。）を形成し、巻鉄心の組立に際しては、前記積層ブロックを円形に巻回して単位鉄心素体の両端を順次階段状にずらしながら突合せ又は重ね合わせて接合し、この積層ブロックを、更に、必要層数前記同様に順次巻回積層して所定の積層厚となした１ターンカット方式の円形に巻回した巻鉄心を構成していた。
【０００４】
前記のようにして積層した１ターンカット方式の巻鉄心は、その突合せ等の接合部を継鉄部の一辺に位置させて矩形状に成形した後磁場焼鈍を行い、前記焼鈍後は、巻鉄心の各積層ブロック毎に前記継鉄部の接合部を開放し、前記接合部を開放したＵ字状の積層ブロックを順次巻線の鉄心挿入孔に挿入し、つづいて、前記巻線に挿入した積層ブロックの各接合部を積層ブロック毎に順次再接合することにより、その磁気回路と導電回路の鎖交結合を終えて巻鉄心の組立を行っていた。
【０００５】
【発明が解決しようとする課題】
ところが、前記のようにして１ターンカット方式の巻鉄心を製造する場合、次のような問題があった。
（１）アモルファス鉄心は剛性に乏しく、しかも、焼鈍により相当脆弱化しているので、積層ブロックを順次巻線に挿入して鉄心組立を行う場合、前記積層ブロックが巻線への挿入時に巻線や他の積層ブロックと衝突したりすると、簡単にアモルファス鉄心の角部や積層端面が欠損したり剥落してアモルファス鉄心の金属破片が生じ、この破片が例えば、変圧器の運転中に絶縁油の対流で漂遊し、巻線の層間に侵入して巻線の絶縁を劣化させるという問題があった。
【０００６】
（２）又、アモルファス鉄心は剛性に乏しいため、積層ブロックを個々に分割して巻鉄心の組立を行う場合、各積層ブロックをそれぞれ矩形成形時の形状を崩して積層ブロック毎に、それぞれ継鉄部の接合部を利用してＵ字状に開放して鉄心組立を行っていたので、自重変形が生じやすくこれにより鉄心自体に内部歪等が生じてその磁気特性に悪影響を与えることがあった。この結果、巻鉄心の組立作業は細心の注意をはらって行う必要があり、この種巻鉄心の組立作業を円滑に、かつ、効率的に行えないという問題もあった。
【０００７】
（３）更に、アモルファス鉄心は非常に極薄に製造されており、しかも、焼鈍によって相当脆弱化しているので、各積層ブロックを順次巻線に組込んだ場合、自立性に極めて乏しく、腰砕けの状態になってしまうことが多い。このため、各積層ブロックは巻線に挿入した都度次の積層ブロックを挿入するまでの間、例えば、特殊な治具等を用いて自立させていたので、アモルファス鉄心を用いた巻鉄心の組立効率が非常に悪く、この種巻鉄心の生産性向上を阻む大きな要因となっていた。
【０００８】
本発明は、前記の問題点に鑑み、鉄心組立時アモルファス鉄心の剛性強化を図ることにより、巻鉄心の巻線への組立作業を、磁気特性を損うことなく迅速・円滑に行って、アモルファス鉄心からなる巻鉄心変圧器の生産性向上を可能とした、アモルファス鉄心変圧器とその製造方法を提供することにある。
【０００９】
【課題を解決するための手段】
本発明は、非晶質磁性合金薄帯を巻回し、かつ、少なくとも１ケ所を切断して突合せ等の接合部を備えた矩形状の巻鉄心と、前記巻鉄心の脚鉄部に嵌挿した巻線とを備えたアモルファス鉄心変圧器において、前記巻鉄心の脚鉄部の積層端面に接着剤を所定の間隔を保って複数箇所塗布して接着部を形成する工程と、前記接着部を形成した脚鉄部を上下一対の貼付部材にて被覆する工程と、前記一対の貼付部材の外側から金属鋼板をコ字形に折曲して形成した一対の整形枠体を、該整形枠体の一対の折曲片を脚鉄部の内，外周面に当接させ、かつ、前記整形枠体の橋絡部を脚鉄部の積層端面側に押動して該橋絡部の内側に貼着したクッション材を押圧した状態で挟着して、前記貼付部材を前記クッション材の弾性力により押圧して脚鉄部の積層端面に接着・保持させる工程と、前記貼付部材を介して脚鉄部に挟着した一対の整形枠体による前記貼付部材の挟持を解いた後巻鉄心をその接合部を有する継鉄部を開いてＵ字状に拡開する工程と、前記Ｕ字状に拡開した巻鉄心を巻線に挿入し、かつ、拡開した継鉄部を再接合する工程とを備えたことを特徴とする。
【００１２】
本発明は、巻鉄心の脚鉄部に、上下一対の貼付部材を取付けることにより、脚鉄部の剛性強化と焼鈍により脆弱化しているアモルファス鉄心が、巻鉄心組立時に生ずる衝撃力によって欠損するのを良好に抑制し、これによって、巻鉄心の巻線への組立作業を円滑・良好に行うことを可能とした。又、前記貼付部材は、上下一対に分割されているので、その取付作業が簡易に行えるとともに、止着手段は脚鉄側の一方と、貼付部材の一方とにそれぞれ適宜に塗布した接着剤により、貼付部材を脚鉄部にこれを挟むようにして貼着し、前記貼着した一対の貼付部材を、整形枠体によって脚鉄部にその積厚寸法を維持させながら一定時間挟持するようにしたので、巻鉄心はその脚鉄部を簡易な構造で剛性強化をはかることを可能とした。
【００１３】
【発明の実施の形態】
以下、本発明の実施例を図１ないし図１５によって説明する。図１において、１は非晶質磁性合金薄帯（以下、単にアモルファス鉄心という）をあらかじめ設定された所定長さ寸法に切断し、これを巻回して巻鉄心を形成するための切断・巻回装置を示し、前記切断・巻回装置１は、アモルファス鉄心２を巻回した複数（本実施例では５個）のドラム３と、前記各ドラム３から巻き戻されたアモルファス鉄心２を複数枚重ね合わせた状態で切断装置４まで給送する送りローラ５と、送りローラ５から給送されたアモルファス鉄心２を切断する前記切断装置４と、この切断装置４にて切断したアモルファス鉄心２を巻取軸６に巻取り用のベルト７を介して順次円形状に巻回する鉄心巻取機８とによって構成されている。
【００１４】
次に、前記切断・巻回装置１により１ターンカット方式の巻鉄心を巻回する場合について説明する。まず、複数のドラム３から巻き戻したアモルファス鉄心２をそれぞれ重ね合わせて積層し、これを送りローラ５によりあらかじめ設定した所定の長さ寸法で順次切断装置４の位置まで送って切断する。つづいて、前記所定の長さ寸法で切断された各鉄心素板９を例えば、整列台９ａ上で階段状に複数層積層して鉄心素板群１０を形成し、この鉄心素板群１０を鉄心巻取機８の巻取軸６に、巻取り用のベルト７を介して順次円形状に巻回して環状鉄心（図示せず）を巻回する。
【００１５】
そして、前記環状鉄心を巻回したらこれを巻取軸６から取外し、これを図示しない成形治具により矩形状に成形し、磁場焼鈍を行って、図２で示す矩形状に成形加工した巻鉄心１１を形成する。なお、図２において、１３は巻鉄心１１の内側に配置した内側補強枠を示し、１４は同じく巻鉄心１１の外側に配置した外側補強枠であり、それぞれけい素鋼帯によって形成されている。なお、図１に示す１２は切断装置４，送りローラ５，鉄心巻取機８等を駆動・停止自動制御するコントローラである。
【００１６】
矩形状に成形されて磁場焼鈍を行った巻鉄心１１は、図２で示すように、図示しない成形治具を取外しても、内，外側補強枠１３，１４の存在によって良好に矩形状態が維持されている。
【００１７】
次に前記巻鉄心１１の継鉄部ｈ，ｈ1 間に図３のように一対の成形金型１５，１５ａを挿入し、つづいて、成形金型１５，１５ａの凹溝ａ，ａ間に、板状の型板１５ｂを圧入して巻鉄心１１の矩形状態を維持させ、この状態で、巻鉄心１１の一対の脚鉄部ｂ，ｂにおける積層端面の一方（図３参照）に、例えば、常温硬化性のエポキシ樹脂等からなる接着剤を一定の間隔を保って塗布して図３で示すように、接着部１６を設け、この接着部１６を利用して比較的薄葉な絶縁紙を脚鉄部ｂ，ｂに貼着する。
【００１８】
即ち、前記巻鉄心１１は、図２で示すように、磁場焼鈍を終えたら図３に示すように、成形金型１５，１５ａと型板１５ｂとを用いて巻鉄心１１の矩形状態を維持する。この後、図示しない昇降手段（電動ホイスト，電動リフト等）により吊持し、巻鉄心１１を図４で示すように、一対の脚台１７，１７上に載架する。この後、成形金型１５，１５ａ，型板１５ｂを除去しても、巻鉄心１１は内，外両補強枠１３，１４によって、型崩れすることなく矩形状態を良好に維持している。
【００１９】
そして、巻鉄心１１を脚台１７，１７上に乗載したら、図４に示すように、積層端面の一方（図４の上部側）には、脚鉄部ｂ，ｂのみにおいて接着剤を、一定の間隔を保って塗布して複数の接着部１６を形成する。これら接着部１６には、例えば、ＪＩＳ  Ｃ２３１７に規定する電気用ポリエステルフィルム加工紙（ポリエチレンテレフタレートフィルムと、これに緩衝作用を及ぼすために貼り合わせた絶縁紙とからなり、以下単に絶縁加工紙という）を貼着して脚鉄部ｂ，ｂの上半分を被覆する。
【００２０】
即ち、前記絶縁加工紙は、図５に示すように、脚鉄部ｂ，ｂの積層端面側の幅寸法でコ字状に折曲して橋絡部ｃを設けるとともに、この橋絡部ｃと連接する折曲部ｄは、脚鉄部ｂ，ｂ周面の幅寸法の半分の長さ寸法で折曲することにより、コ字状の貼付部材１８，１８を形成する。そして、これら貼付部材１８，１８は、そのフィルム側を表面として絶縁紙（裏面）部分の橋絡部分を巻鉄心１１の積層端面側に設けた接着部１６に接着させることにより、脚鉄部ｂ，ｂの上側面（図５に示す上半部）を図６で示すように、貼付部材１８，１８により包み込むようにして被覆する。
【００２１】
つづいて、巻鉄心１１の脚鉄部ｂ，ｂの下半部を被覆する場合について説明する。この場合も前記同様コ字状に曲成した貼付部材を用いる点は同じだが、脚鉄部ｂ，ｂの下半部を被覆するコ字状の貼付部材１９，１９には図５で示すように、あらかじめ内面（裏面）となる絶縁紙部分の橋絡部ｃ1 に、常温硬化性のエポキシ樹脂等からなる接着剤を所定の間隔を保って塗布することにより、複数の接着剤部１９ａを形成する。
【００２２】
前記貼付部材１９，１９の貼付に当っては、図５に示すように、巻鉄心１１の脚鉄部ｂ，ｂの下側に位置する積層端面に、上側の貼付部材１８，１８と同様に橋絡部ｃ1 を当接して貼着することにより、脚鉄部ｂ，ｂの下側面（下半部）を貼付部材１９，１９で包み込むようにして被覆する。この結果、脚鉄部ｂ，ｂは図６に示すように、上下一対の貼付部材１８，１９の橋絡部ｃ，ｃ1 と折曲部ｄ，ｄ1 にて、積層端面及び内，外周面を完全に覆うことができる。
【００２３】
貼付部材１８，１９の貼着が終了したら、つづいて、脚鉄部ｂ，ｂの積厚寸法の維持（アモルファス鉄心はけい素鋼帯に比べて非常に薄く形成されているので、焼鈍後積層端面の融着がほぐれると、巻鉄心１１全体が膨らむ傾向にあるため、積層端面の積厚寸法を整定して一定に保持する必要がある）及び貼付部材１８，１９と巻鉄心１１との接着性を確実化するために、図７で示すように、脚鉄部ｂ，ｂに断面コ字形の整形枠体２０，２１を挟着することにより、巻鉄心１１の積厚寸法の均一化を維持させる。
【００２４】
前記積厚寸法の均一化を維持するための整形枠体２０，２１は、図８に示すように、例えば、金属鋼板を巻鉄心１１の積厚寸法に合せてコ字形に折曲し、前記折曲した一対の折曲片ｅ，ｅ1 の一方の折曲片ｅの端部を外側に湾曲（傾斜）して湾曲部ｅ0 を形成する。そして、整形枠体２０，２１を巻鉄心１１の脚鉄部ｂ，ｂに挟持させる場合は、整形枠体２０，２１の橋絡部ｆ内側に適宜な厚さのゴム，スポンジ等からなるクッション材２２をあらかじめ貼着しておく。
【００２５】
そして、脚鉄部ｂ，ｂに貼着した絶縁加工紙からなる貼付部材１８，１９の外側から、前記コ字形の整形枠体２０，２１を、それぞれ一対の折曲片ｅ，ｅ1 を脚鉄部ｂ，ｂの内，外周面に当接させ、この状態で、整形枠体２０，２１の橋絡部ｆを脚鉄部ｂ，ｂの積層端面側に押動すると、整形枠体２０，２１は、折曲片ｅ側に設けた湾曲部ｅ0 を利用して折曲片ｅ，ｅ1 を脚鉄部ｂ，ｂにより開拡された状態で、図７のように脚鉄部ｂ，ｂに挟着する。
【００２６】
このように、整形枠体２０，２１の取付けは、図７，９で示すように、巻鉄心１１の脚鉄部ｂ，ｂの積層端面の上，下方向から、一対の折曲片ｅ，ｅ1 の一方に形成した湾曲部ｅ0 を利用して挟め込むことにより、整形枠体２０，２１は自体の弾力性を有効利用し、かつ、貼付部材１８，１９表面のフィルム面を滑動して容易に脚鉄部ｂ，ｂに挟着することができる。
【００２７】
前記整形枠体２０，２１の挟着により、巻鉄心１１の脚鉄部ｂ，ｂに貼着した貼付部材１８，１９は、その橋絡部ｃ，ｃ1 がクッション材２２の弾性力に押圧されて脚鉄部ｂ，ｂの積層端面に、接着部１６，接着剤部１９ａを介して平坦状に接着される。又、整形枠体２０，２１は金属鋼板によって縦断面がコ字形に形成されているので、脚鉄部ｂ，ｂに挟持させた場合、弾性力が作用して脚鉄部ｂ，ｂに良好に挟持されるとともに、脚鉄部ｂ，ｂの積厚寸法を一定に保持することができる。
【００２８】
前記のようにして、巻鉄心１１の脚鉄部ｂ，ｂに貼付部材１８，１９と整形枠体２０，２１の取付けを終えたら、各貼付部材１８，１９の折曲部ｄ，ｄ1 （自由端）同士及び折曲部ｄ，ｄ1 （自由端）と脚鉄部ｂ，ｂとを、図１０に示すように、脚鉄部ｂ，ｂの内，外周面において，粘着テープ２３を用いて相互に接着（粘着テープ２３に代えて接着剤により折曲部ｄ，ｄ1 を脚鉄部ｂ，ｂに仮止めするようにしてもよい）する。この結果、巻鉄心１１の脚鉄部ｂ，ｂに、橋絡部ｃ，ｃ1 及び折曲部ｄ，ｄ1 を接着した状態で貼付部材１８，１９を取付けるようにしたので、脚鉄部ｂ，ｂは図１０のように、貼付部材１８，１９に被覆された状態で保持されることになる。この後、接着部１６，接着剤部１９ａが硬化した時点で、整形枠体２０，２１を脚鉄部ｂ，ｂから取外す。
【００２９】
従って、本発明において巻鉄心１１の脚鉄部ｂ，ｂは、図１０で示すように、絶縁加工紙からなる貼付部材１８，１９を取付けることにより、焼鈍によって脆くなっているアモルファス鉄心２が欠損したり、剥落するのを良好に防ぐことができるとともに、巻鉄心１１自体の形崩れを防ぎ、その剛性強化をはかって自立性を高めることができる。これは、貼付部材１８，１９にフィルムと絶縁紙とを組合せた比較的腰の強い絶縁部材を使用しているためであり、フィルムの使用をやめクラフト紙を複数枚重ねたものを使用するようにしてもよい。
【００３０】
巻鉄心１１に貼付部材１８，１９を取付けたら、前記巻鉄心１１を図示しない吊上手段等にて例えば、ローラコンベア２４上に滑動板２４ａを介して乗載する。巻鉄心１１の接合部ｇが位置する継鉄部ｈを外側補強枠１４の固定を解いて、前記接合部ｇを利用して外方に向けて開く。即ち、巻鉄心１１を矩形状態から図１１で示すように、平面形状がＵ字状となるように開拡する。なお、巻鉄心１１の前記開放作業に際して、前記脚鉄部ｂ，ｂは、それぞれ貼付部材１８，１９により剛性強化が十分維持されているので、前記接合部ｇを有する継鉄部ｈの開放時において、巻鉄心１１が自重変形したり、形崩れ等を起すということは全くなく、円滑・良好にＵ字状に開放することができる。
【００３１】
前記のようにして継鉄部ｈをその接合部ｇにおいて開放した後、前記継鉄部ｈの尖端から脚鉄部ｂ，ｂ部分に図１１で示すように、先端を先細状に折曲して形成した黄銅等からなる挿入保護帽２５を当接する。この挿入保護帽２５は、巻鉄心１１の開放した継鉄部ｈの先端が、巻線２７への挿入時に巻線２７の鉄心挿入孔２８（図１１参照）の入口等と衝接して欠損したり、内，外方向に傾倒して巻線２７への挿入作業を困難にするという問題の解決をはかっている。
【００３２】
一方、巻鉄心１１が挿入される前記巻線２７は、図１１で示すように、ローラコンベア２４の途中に設けた巻線固定装置２９に一対並行に乗載して固定する。この巻線固定装置２９は巻線２７，２７が巻鉄心１１を組込む際に揺動するのを防ぐようにしたもので、載置台３０上に乗載した一対の巻線２７を係止板３１（図では１枚のみ図示）により挟持固定するもので、この係止板３１は図１１で示すように、巻線２７，２７を挟持した状態で載置台３０上に乗載・固定される。又、前記載置台３０は図示しない昇降手段により、ローラコンベア２４のローラ部分３２の頂部を基準として一定の寸法で昇降するように構成されている。巻線２７を載置台３０に載せて固定したら、載置台３０を運転してローラ部分３２の頂部と巻線２７の鉄心挿入孔２８の下面とを同一高さとなるように調整する。
【００３３】
一対の巻線２７，２７を巻線固定装置２９に固定したら、つづいて、Ｕ字状に開放した巻鉄心１１は事前に図示しない吊上手段等にて、ローラコンベア２４上に滑動板２４ａを介して乗載されており、しかも、開放した継鉄部ｈ側は図１１に示すように、巻線２７側に位置させてある。巻線２７，２７への挿入に際しては、開放した継鉄部ｈの挿入保護帽２５の外側にガイドカバー３３を被せ、この状態で、滑動板２４ａによりローラコンベア２４上を滑動させて巻鉄心１１を巻線２７，２７側に移動させ、巻鉄心１１の脚鉄部ｂ，ｂを巻線２７，２７の鉄心挿入孔２８，２８に１動作で挿入する（図１２参照）。巻鉄心１１の脚鉄部ｂ，ｂには、表面に摩擦抵抗の少ないフィルムを備えた貼付部材１８，１９が取付けられているので、巻鉄心１１は大きな摩擦抵抗を受けることなく、円滑に巻線２７に挿入できる。
【００３４】
この際、巻鉄心１１の脚鉄部ｂ，ｂは貼付部材１８，１９によって剛性強化がはかられているので、前記巻鉄心１１は自重変形したりアモルファス鉄心２の欠損等を生じさせることなく、迅速・容易に巻線２７，２７への挿入を行うことができる。又、巻鉄心１１の接合部ｇを有しない継鉄部ｈ1 側は、図１０のように、特別に補強材等を用いての剛性強化がはかられていないので、この継鉄部ｈ1 の撓み力を有効利用することにより、巻鉄心１１の巻線２７への組立時、接合部ｇ側を開放した継鉄部ｈ，ｈと巻線１１の鉄心挿入孔２８，２８との位置決めが容易に行い得、巻鉄心１１を損傷することなく迅速・確実に巻線２７に挿入することができる。
【００３５】
前記巻線２７，２７への巻鉄心１１の脚鉄部ｂ，ｂの挿入が終了したら、図１２で示すように、巻線２７，２７から突出している巻鉄心１１の継鉄部ｈ，ｈに被せてあるガイドカバー３３（図１２では除去ずみ）と挿入保護帽２５を、巻鉄心１１の挿入方向あるいはその反対側から引き抜く等して図１３で示すように取り外す。この後、巻鉄心１１の開放された継鉄部ｈの最内層側より順次図１４で示すように、開放前の状態（内側）に折り曲げ、その接合部ｇを図１５で示すように再接合し、更に、外側補強枠１４を重合した部分をスポット溶接により固定することによって巻鉄心１１の再組立を終える。
【００３６】
前記のように、巻鉄心１１をＵ字状に開いて巻線２７，２７に挿入したり、挿入後に前記開放した継鉄部ｈを再接合する作業等においては、巻鉄心１１を構成するアモルファス鉄心２が焼鈍によって非常に脆くなっているが、脚鉄部ｂ，ｂは貼付部材１８，１９にて被覆されているので、巻線２７に巻鉄心１１を挿入する場合、アモルファス鉄心２が挿入時の衝撃によって金属破片が生じにくく、しかも、脚鉄部ｂ，ｂ自体に剛性強化がはかられていることと相まってこの結果、金属破片が巻鉄心１１の鉄心挿入孔２８に残留することはない。従って、変圧器の運転中に巻線２７の鉄心挿入孔２８から金属破片が絶縁油中に漏出して巻線２７の絶縁を劣化させるという問題を確実に阻止することができる。
【００３７】
前記のように、巻鉄心１１の再組立を終えたら、図１４，１５に示すように、巻線２７の軸方向端面と巻鉄心１１の継鉄部ｈ，ｈ1 との間に絶縁スペーサ３４を挿着して巻線２７，２７と巻鉄心１１とを固定する。この後、巻鉄心１１の継鉄部ｈ，ｈ1 に、それぞれクランプ部材（図示せず）を、巻線２７，２７の両端面との間に巻線押えを介して止着し、この状態で巻鉄心１１を図示しないケースに収容・固定し、絶縁油をケースに定量充填することによってアモルファス鉄心変圧器の製造を終える。
【００３８】
【発明の効果】
本発明は、以上説明したように、アモルファス鉄心からなる巻鉄心の脚鉄部に、上下一対の貼付部材を取付けて脚鉄部の剛性強化と金属破片の漏出防止をはかるようにしたので、巻鉄心の組立作業は巻鉄心全体を１動作で巻線に組込むことが可能となり、組立作業が迅速・容易に行えるとともに、金属破片の漏出が抑制できるので、巻線の絶縁劣化を良好に回避することができる。
【００３９】
又、貼付部材の取付けに際しては、脚鉄部の積層端面と一対の貼付部材のうち、それぞれの脚鉄部の積層端面と、これら積層端面と対応する貼付部材の橋絡部に塗布した接着剤により、前記一対の貼付部材を脚鉄部にこれを挟むようにして貼着し、つづいて、クリップ状の整形枠体をその内側に貼着したクッション材を巻鉄心の積層端面側に位置する前記貼付部材の橋絡部に押圧した状態で脚鉄部に一定時間挟持させて前記貼付部材を脚鉄部に強固に貼着することができるようにしたので、貼付部材は整形枠体のクッション材の押圧力を利用して巻鉄心の積層端面に良好に接着させることが可能となり、これにより、貼付部材を少ない接着剤にて巻鉄心の脚鉄部に経済的に、かつ、迅速・確実に、しかも、効率的に貼着することができる。その上、前記整形枠体は巻鉄心の脚鉄部に挟着させた場合、整形枠体の弾性力が脚鉄部に良好に作用して前記脚鉄部に挟持させることができるので、貼付部材を貼着した脚鉄部の積厚寸法を一定に保持させることが可能となり、これにより、拡開した巻鉄心の脚鉄部の巻線への挿入作業を良好に行うことができる等、脚鉄部の剛性強化を簡易に、かつ、経済的に図ることができる。
【００４０】
その上、貼付部材は巻鉄心の脚鉄部のみに取付けられているので、巻鉄心の組立時これをＵ字状に開拡して巻線に挿入する場合、開拡した巻鉄心の継鉄部と巻線の鉄心挿入孔との位置合せは、他方の継鉄部の撓み力を有効利用して容易に行うことが可能となり、しかも、脚鉄部の貼付部材の表面に摩擦抵抗の少ない絶縁部材の使用と相まって、巻鉄心の巻線への組立作業を迅速・容易に、しかも、効率的に行うことができ至便である。
【図面の簡単な説明】
【図１】非晶質磁性合金薄帯を切断し、巻回する装置の概略構成図である。
【図２】本発明において、焼鈍処理を行って巻鉄心を矩形状に成形した状態を示す平面図である。
【図３】同じく、脚鉄部に貼付部材を取付ける前の状態を示す平面図である。
【図４】同じく、巻鉄心を脚台に乗載して貼付部材の取付け前の状態を示す斜視図である。
【図５】巻鉄心と貼付部材とを分離して示す斜視図である。
【図６】巻鉄心に貼付部材を取付けた状態を示す斜視図である。
【図７】同じく、貼付部材を整形枠体にて挟持している状態を示す巻鉄心の斜視図である。
【図８】整形枠体の斜視図である。
【図９】巻鉄心の脚鉄部を縦断して示す断面図である。
【図１０】貼付部材を取付けた巻鉄心の斜視図である。
【図１１】巻鉄心を巻線に挿入する前の状態を示す斜視図である。
【図１２】巻鉄心を巻線に組込んだ状態を示す斜視図である。
【図１３】巻線に巻鉄心を挿入した状態を示す平面図である。
【図１４】巻線に挿入した巻鉄心を再接合している状態を示す平面図である。
【図１５】巻鉄心の組立が終了した状態を示す斜視図である。
【符号の説明】
２  アモルファス鉄心
１１  巻鉄心
１６  接着部
１８，１９  貼付部材
２０，２１  整形枠体
ｂ，ｂ  脚鉄部
ｇ  接合部
ｈ，ｈ1   継鉄部
【図１】
0003727454.tif 000002
【図２】
0003727454.tif 000003
【図３】
0003727454.tif 000004
【図４】
0003727454.tif 000005
【図５】
0003727454.tif 000006
【図６】
0003727454.tif 000007
【図７】
0003727454.tif 000008
【図８】
0003727454.tif 000009
【図９】
0003727454.tif 000010
【図１０】
0003727454.tif 000011
【図１１】
0003727454.tif 000012
【図１２】
0003727454.tif 000013
【図１３】
0003727454.tif 000014
【図１４】
0003727454.tif 000015
【図１５】
0003727454.tif 000016